(57)【要約】【課題】  保持する片手での持ち替えを少なくして操作性を向上した遠隔操作装置を提供する。【解決手段】  その内部に、操作基板２０と電池２１と通信部を備えた縦長の本体筐体１０とし、この本体筺体１０の最も広い面の一面に複数の操作ボタンを配列する操作配置面１１とした遠隔操作装置１であって、前記操作配置面１１の両側となる前記本体筐体１０の両側面に、両側に張り出して設けられる一対の移動部材４０を配置し、前記移動部材４０は、使用頻度の高い操作ボタンが夫々配置されるとともに、前記本体筐体１０の両側面に形成されるスライドレール４５を介して前記操作配置面の長手方向に沿って移動可能に構成される。【選択図】図１
2011077745.tif 000002
【特許請求の範囲】
【請求項１】
その内部に、操作基板と電池と通信部を備え、高さ寸法より横幅寸法が大きく、この横幅寸法より奥行き寸法が長い縦長の本体筐体とし、この本体筺体の最も広い面の一面に複数の操作ボタンを配列する操作配置面とした遠隔操作装置において、
前記操作配置面の両側となる前記本体筐体の両側面に、両側に張り出して設けられる一対の移動部材を配置し、
前記移動部材は、使用頻度の高い操作ボタンが夫々配置されるとともに、前記本体筐体の両側面に形成されるスライドレールを介して前記操作配置面の長手方向に沿って移動可能とした
ことを特徴とする遠隔操作装置。
【請求項２】
前記請求項１記載の遠隔操作装置において、
前記本体筺体は、前記操作配置面を備えた薄い外形状を備えた第１本体部と、この第１本体部の底面に張り出して形成される第２本体部とから構成され、
前記操作配置面の両側となる前記第１本体部の両側面には、外側に張り出して形成される一対の移動部材が設けられ、
前記移動部材は、前記第１本体部の両側面に形成される前記スライドレールを介して前記操作配置面の長手方向に沿って移動可能に設けられ、
前記使用頻度の高い操作ボタンは、一対のアップダウンスイッチからなるチャンネル選局ボタンと、一対のアップダウンスイッチからなる音量ボタンである
ことを特徴とする遠隔操作装置。
【請求項３】
前記請求項１または２記載の遠隔操作装置において、
前記本体筺体は、前記一対のスライドレールを繋ぐ空間が設けられ、
前記空間に一対の移動部材を連結する連結部材が前記スライドレールに沿って移動可能に設けられ、
前記空間の上部となる前記本体筺体内には操作基板が配置され、前記空間の下部となる前記本体筺体内には電池が配置されている
ことを特徴とする遠隔操作装置。
【請求項４】
前記請求項１から３記載のいずれかの遠隔操作装置において、
前記操作配置面の中央にはカーソルボタン群とテンキーボタン群が、この操作配置面の長手方向に沿って配置され、
前記一対の移動部材は、少なくともカーソルボタン群とテンキーボタン群の両側を移動可能である
ことを特徴とする遠隔操作装置。
【請求項５】
前記請求項１から４記載のいずれかの遠隔操作装置において、
前記本体筺体は、その長手方向の一端側に赤外線送信部が配置され、他端側にハンドル部が形成され、
前記ハンドル部は、前記操作配置面と連続する一対のアーム部材と、このアーム部材の端部を結ぶ連結部材とを含んで構成される
ことを特徴とする遠隔操作装置。
【請求項６】
前記請求項５記載の遠隔操作装置において、
前記ハンドル部に隣接する操作配置面には、その上面を開閉蓋で覆われるスイッチ群が設けられ、
前記開閉蓋は、前記一対のアーム部材の内壁面に形成される一対の移動溝を介して、スイッチ群を隠蔽する状態と、ハンドル部側にスライド移動してスイッチ群を開放する状態を取り得る構造を備えている
ことを特徴とする遠隔操作装置。
【発明の詳細な説明】
【技術分野】
【０００１】
本発明は、テレビジョン受像機や録画記録再生装置などの遠隔操作を行う遠隔操作装置に関し、特に、片手で筐体を保持して操作することが可能な携帯型の遠隔操作装置に関する。
【背景技術】
【０００２】
家庭内で普及するテレビジョン受像機や録画記録再生装置などの情報機器は、赤外線信号を介してコードレスで接続される遠隔操作装置で操作することが主流となっている。これら遠隔操作装置は、長手方向の一端側に赤外線信号を発信する送信窓を備えた棒状の本体筐体を片手で保持し、この本体筐体の操作パネルに設けた複数の操作キーを、保持した片手の親指で操作することで、情報機器本体を操作することができる。
【０００３】
しかし、近年の遠隔操作装置は、電源ボタンなどの基本的な操作群に加えて、テレビジョン操作ボタン群や録画再生操作ボタン群、カーソル操作ボタン群、デジタル放送操作ボタン群など、多くの操作群を配置しなければならない。また、これら複数の操作群を遠隔操作装置の長手方向に沿って配列しているから、遠隔操作装置の長手方向が長くなっている。例えば、極一般的な遠隔操作装置の操作ボタン群の配列では、先端部から後端部にかけて、電源ボタンと画面表示ボタンなどの基本操作ボタン群、ＢＳ放送やＣＳ放送などの放送選択ボタン群、テレビの選局を行うテンキー群、音量やチャンネルアップダウン操作ボタン群、デジタル放送の４色ボタン群、番組表や裏番組などのボタン群、円形のカーソルボタン群、録画再生ボタン群などを順に配列している。
【０００４】
このため、利用者は、遠隔操作装置を片手で保持した場合、保持した片手の親指などで主要な操作群を操作できないために、持ち替えたり、両手での操作を行わなければならない。
【０００５】
そこで、これらの課題を解決するために、本体筐体を上下に２分割し、下部筐体に対して上部筐体を本体筐体の長手方向に沿ってスライド移動させたものが提案されている。
【先行技術文献】
【特許文献】
【０００６】
【特許文献１】特開２００４−１２０２４８号公報
【発明の概要】
【発明が解決しようとする課題】
【０００７】
棒状の遠隔操作装置では、赤外線送受信部を長手方向の端部に設け、この赤外線送受信部をテレビジョン受像機に向けるように片手で保持することができる。この保持姿勢は、親指を本体筐体の操作配置面に沿えて、親指以外の指で本体筐体の下部を支持する姿勢となる。したがって、従来技術では、前記保持姿勢を取ることにより、親指以外の指で下部筐体を支持し、親指で上部筐体を移動させながら、任意の操作ボタンを操作できるから有効である。
【０００８】
しかし、この従来例では、下部筐体に対して上部筐体を移動させるため、スライド移動させる構造も大掛かりとなり、かつ、大きな上部筐体を移動させるため、上部筐体が利用者や障害物に当たるといった点も課題が残る。
【０００９】
そこで、この発明の目的とするところは、保持する片手での持ち替えを少なくして操作性を向上した遠隔操作装置を提供することにある。
【課題を解決するための手段】
【００１０】
前記目的を達成するために、この発明に係る遠隔操作装置は、その内部に、操作基板と電池と通信部を備え、高さ寸法より横幅寸法が大きく、この横幅寸法より奥行き寸法が長い縦長の本体筐体とし、この本体筺体の最も広い面の一面に複数の操作ボタンを配列する操作配置面とした遠隔操作装置であって、前記操作配置面の両側となる前記本体筐体の両側面に、両側に張り出して設けられる一対の移動部材を配置し、前記移動部材は、使用頻度の高い操作ボタンが夫々配置されるとともに、前記本体筐体の両側面に形成されるスライドレールを介して前記操作配置面の長手方向に沿って移動可能に構成される。
【発明の効果】
【００１１】
本発明によれば、利用頻度の高い操作ボタン群がホームポジションとなる傾斜面の近傍に集中配置されるので、操作に際して持ち替える頻度が軽減され、しかも、親指のホームポジションの周囲に配置されるので、ブラインド操作をしやすく、かつ使用頻度の高い操作ボタンを親指の動作範囲に配列することができる。
【図面の簡単な説明】
【００１２】
【図１】この発明に係る遠隔操作装置の概略構成図である。
【図２】この発明に係る遠隔操作装置の外観図である。
【図３】この発明に係る遠隔操作装置の使用状態図である。
【発明を実施するための形態】
【００１３】
図１から図３を参照して、この発明に係る遠隔操作装置を具体的に説明する。ここで、図１は、遠隔操作装置の概略構成図である。図２は、遠隔操作装置の外観図であり、図２（ａ）が平面図、図２（ｂ）が右側面図、図２（ｃ）が正面図である。図３は、遠隔操作装置の使用状態図である。
【００１４】
先ず、図１と図２を参照して、この実施の形態に係る遠隔操作装置の構造を説明する。
【００１５】
図１において、符号１で総括的に示す遠隔操作装置は、テレビジョン放送の操作系と記録再生系の操作信号を発信することが可能な遠隔操作装置である。もちろん、この実施の形態に係る遠隔操作装置１は、テレビ放送系や記録再生系の操作に限定されるものでなく、他の多様な電子機器でも適用可能である。また、この遠隔操作装置１は、赤外線信号を介して制御対象となる電子機器への操作指示を送信することができる。しかし、送信する操作信号は、赤外線信号に限定されるものではなく、無線通信でも適用することができる。更に、送信のみではなく、送受信が可能な遠隔操作装置でも適用することができる。
【００１６】
さて、図２において、この遠隔操作装置１は、高さ寸法Ｈより横幅寸法Ｗが大きく、この横幅寸法Ｗより奥行き寸法Ｄが長い縦長の本体筐体１０を備えている。本体筐体１０は、この本体筐体１０の最も広い面の一面を、操作ボタン類が集中配置される操作配置面１１とし、その両側と裏面側の筐体面をグリップ部１２としている。この本体筐体１０は、前記操作配置面１１を備えた薄い上カバー１３と、前記グリップ部１２を構成する厚い下カバー１４とを、図示しないネジで連結して構成される。
【００１７】
また、外観形状的にみると、本体筐体１０は、前記操作配置面１１を備えた薄い板状の第１筐体１０ａと、この第１筐体１０ａの裏面側に段差部１５をもって下方に隆起するように張り出して形成される第２筐体１０ｂとから構成される。第１筐体１０ａには、図１に示すように、通信機能と操作機能を備えた操作ボタン基板２０が内蔵され、第２筐体１０ｂには、長手方向に沿って直列の複数の図示しない電池２１を内蔵されている。そして、第１筐体１０ａの周囲に前記上カバー１３と下カバー１４とを結合する結合溝１６が形成されるように、上カバー１３と下カバー１４とで本体筐体１０の外観を構成している。
【００１８】
図２において、この実施形態では、第１筐体１０ａの長手方向の長さを手前（図面下部）に延長することにより、第２筐体１０ｂの長手方向の長さより長く形成し、この手前に張り出した部分をハンドル部３０としている。このハンドル部３０は、中央が開口した枠形状に形成されている。
【００１９】
また、第１筐体１０ａの両側面には、第１筐体１０ａの長手方向に移動可能な一対の移動部材４０が形成され、この一対の移動部材４０に、チャンネル選局ボタン４１と、音量ボタン４２が左右に分けて配置されている。
【００２０】
操作配置面１１は、赤外線送受信部２３が設けられる先端部から手前にかけて、多くのボタン群が機能別に分けられて、長手方向に沿って配列されている。即ち、先端部から手前にかけて、電源ボタン１５１やＢＳ、ＣＳなどの放送方式を選択する複数のボタンを含む基本操作ボタン群１５０、選局をダイレクトで行うテンキーボタン群１６０、電子番組表を含むコンテンツリストボタン群１１０、決定キーや十字カーソルや関連機能ボタンを含むカーソルボタン群１２０、カラーボタン群１４０、再生や停止などの操作ボタンを含む録画再生ボタン群１７０、使用頻度の低い操作ボタンを備えた隠しボタン群１８０を配置している。ここで、カーソルボタン群１２０は、中央の決定キーと、これを囲むリング状の十字カーソルキーと、この十字カーソルキーの周囲に配置される複数のメニュー関連ボタンから構成される。
【００２１】
図１に戻り、この実施形態では、本体筐体１０の長手方向の一端側の端部に赤外線送受信部２３を設け、他の一端側にハンドル部３０を設けている。利用者は、この遠隔操作装置１を操作するために本体筐体１０保持する場合は、赤外線送受信部２３が配置される長手方向の一端を、テレビジョン受像機に向けるように片手で保持する。この保持姿勢は、親指を操作配置面１１において、他の指でグリップ部１２を支持する姿勢となる。
【００２２】
そして、この遠隔操作装置の大きな特徴の１つは、本体筺体１０の両側に、その長手方向に沿って移動可能な一対の移動部材４０を設け、この移動部材４０に使用頻度の高い操作ボタンを配置した点にある。
【００２３】
即ち、従来の遠隔操作装置では、本体筐体を細長く形成し、この本体筺体の一面となる操作配置面に多くの操作ボタンを機能別に分けて配置している。このため、片手で遠隔操作装置を保持した場合、頻繁に持ち替える必要が生じる。
【００２４】
この実施形態では、使用頻度の高い操作ボタンを、操作配置面１１から分離して独立させ、この分離独立した使用頻度の高い操作ボタンを、操作配置面１１に沿って移動可能な移動部材４０に設けている。この実施形態では、使用頻度の高い操作ボタンとして、チャンネル選局ボタン４１と音量ボタン４２を設定している。この２つのボタンは、使用頻度が高く、かつ、アップとダウンの一対の押下部から構成されるため、従来の遠隔操作装置においては、操作配置面に占める面積も大きいものとなっている。
【００２５】
例えば、従来の操作ボタン配列では、テンキーボタン群１６０とカーソルボタン群１２０との間に、チャンネル選局ボタン４１と音量ボタン４２を並べて設けるのが一般的となっている。しかし、前記したように、チャンネル選局ボタン４１と音量ボタン４２は、大きな面積を占めるために、これらをテンキーボタン群１６０とカーソルボタン群１２０との間に配置すると、２つのボタン群の間の距離が長くなる。必然的に、テンキーボタン群１６０の先端側に配置される操作ボタン群（基本操作ボタン群１５０）や、カーソルボタン群１２０の手前に配置される操作ボタン群（録画再生ボタン群１７０）は、より離れて配置されることになる。このため、遠隔操作装置１の持ち替えを頻繁に行うことになる。
【００２６】
この実施形態では、操作配置面１１に占める面積が大きいチャンネル選局ボタン４１と音量ボタン４２を操作配置面１１から分離することにより、テンキーボタン群１６０とカーソルボタン群１２０との間の距離を短くしている。これにより、操作配置面１１に配置される操作ボタン群の長手方向の全体の距離が短くなるため、遠隔操作装置１の持ち替えを軽減することができる。そして、この分離したチャンネル選局ボタン４１と音量ボタン４２とを、操作配置面１１の長手方向に沿って移動可能な移動部材４０に設けることにより、この移動部材４０を他の操作ボタンを操作するために保持する位置に移動させて使用することができる。これにより、操作時の持ち替えをより少なくすることができる。
【００２７】
特に、この実施形態に係る移動部材４０は、第１筐体１０ａの側面に張り出して設けているため、保持する人差し指や薬指などで、この移動部材４０を移動したり、あるいは、他の手でこの移動部材４０を簡単に移動させることができる。
【００２８】
また、この遠隔操作装置１の大きな特徴の他の１つは、操作配置面１１の両側に配置される一対の移動部材４０を連動させて移動させる構造とした点にある。
【００２９】
即ち、この実施形態では、使用頻度の高い操作ボタンを、操作配置面１１の両側の移動部材４０に分けて配置しているので、移動部材４０と操作する親指との距離を短くすることができる。例えば、１つの移動部材４０に使用頻度の高い操作ボタンを複数配置すると、移動部材４０に配置される操作ボタンの中でも、親指で操作可能なものと、持ち替えたり、移動部材４０を更に移動させないと操作できないものが生じることとなる。この実施形態では、移動部材４０を左右に分けることにより、この移動部材４０に配置される操作ボタンを、親指で操作できる距離に移動させることができる。また、移動部材４０を大きくすれば、必然的に本体筺体１０から張り出す大きさも大きくなり、遠隔操作装置１を複雑な造形としなければならず、操作性や取り扱い性に課題が生じる。
【００３０】
また、一対の移動部材４０を個別に移動させると、この移動部材４０を移動させる不用な操作が多くなり、操作性を複雑にすることとなる。そこで、この実施形態では、一対の移動部材４０を連動して移動させることにより、不要な操作を軽減している。
【００３１】
そして、この実施形態では、操作配置面１１を挟んで配置される一対の移動部材４０を連動して移動させるために、図１の右側の吹出し内に示すように、操作ボタン基板２０と電池２１との間に連携部材移動空間４３を形成し、一対の移動部材４０を連結する連結部材４４が、この連携部材移動空間４３内を移動可能な構造を採用している。
【００３２】
即ち、この吹出し内には、カーソルボタン群１２０近傍の断面図を示している。図から分かるように、本体筺体１０の内部は、第１筐体１０ａの両側に形成される一対のスライド溝４５（図２（ｂ）にも図示）を結ぶ連携部材移動空間４３によって上下に分割され、上部の空間には、複数のスイッチ素子２４が配列される操作ボタン基板２０が設けられ、下部の空間には、電池２１が配置されている。この構造によれば、操作配置面１１に配置される操作ボタン２５の押下により、操作ボタン基板２０に設けられるスイッチ素子２４を操作することができる。また、移動部材４０にもスイッチ素子２４が設けられており、このスイッチ素子２４の信号は、図示しない配線コードを介して操作ボタン基板２０に伝達される。
【００３３】
なお、操作配置面１１の長手方向に対する移動部材４０の移動距離Ｌは、操作配置面１１の長手方向の全域に渡って設ける必要はなく、中央からやや先端に渡って移動可能とすれば足りる。即ち、遠隔操作装置１の保持姿勢からすると、カーソルボタン群１２０とテンキーボタン群１６０に渡って移動可能であれば足りる。したがって、移動部材４０のスイッチ素子２４と電池２１と操作ボタン基板２０とを結ぶ図示しない配線コードは、本体筺体１０の長手方向の両側を介して配線することができる。もちろん、スライド溝４５に図示しない配線レールを設け、この配線レールと移動部材４０からの配線をスライド接触させることにより、その電気信号を伝達する構造を採用しても良い。
【００３４】
また、この実施形態に係る遠隔操作装置１の特徴の他の１つは、使用頻度の高い操作ボタンを分離したことに伴う長手方向の長さ部分をハンドル部３０に割り当てた点にある。
【００３５】
即ち、従来の遠隔操作装置は一様な棒状の形態であるため、保持性に課題がある。従来技術では、グリップ部１２を設けることで、片手での保持性を向上させているものの、本体筺体が棒状の塊であるため、テーブルに置いたり、あるいは、ラックに挿入したりして収納している。また、テーブルに置いてある遠隔操作装置を孫の手などで引きよせようとすると、棒状の塊の本体筺体は、手掛かりがない課題がある。
【００３６】
この実施形態では、本体筺体１０の短くなった長さを、ハンドル部３０に割り当てることにより、前記課題を解決している。このハンドル部３０は、操作配置面１１に沿って伸びる一対のアーム３１と、この一対のアーム３１の端部を連結する連結部３２とから構成される。これにより、操作配置面１１の延長線上にシンプルなハンドル部３０を形成することができる。
【００３７】
また、この実施形態に係る遠隔操作装置１の特徴の他の１つは、ハンドル部３０に隣接する操作配置面１１の端部に、開閉蓋１８１で隠蔽される使用頻度の低い隠しボタン群１８０を配置した点にある。
【００３８】
従来技術においては、使用頻度の低いボタン群を開閉蓋で隠蔽可能にした隠しボタン群を設けたものがあるが、この開閉蓋は、回転軸を介して回転する構造のものが多いため、壊れやすいという課題がある。
【００３９】
そこで、図１の右下の吹出し内に示すように、この実施形態では、ハンドル部３０を構成する一対のアーム部３１の内側に、開閉蓋１８１を移動させるレール溝３３を形成し、ハンドル部３０に隣接する隠しボタン群１８０の開閉蓋１８１を、このレール溝３３に沿ってハンドル部３０に移動させて退避させることにより、この使用頻度の低い隠しボタン群１８０を露出させる構造としている。これにより、ハンドル部３０のスペースを開閉蓋１８１の退避スペースと兼用することができるし、また、この構造により、開閉蓋１８１の破損の可能性を軽減することができる。
【００４０】
図３において、この実施形態によれば、ハンドル部３０を本体筐体１０の長手方向の一端側に設けることにより、使い勝手を大きく向上することができる。
【００４１】
即ち、図３（ａ）に示すように、この遠隔操作装置１をテーブルに置いた状態でも、ハンドル部３０に指を引っ掛けて引き寄せたり、手で本体筺体１０を持ちやすくすることができる。また、孫の手などの他の媒体を使って本体筺体１０を引き寄せることもできる。しかも、この実施形態の本体筺体１０は、赤外線送受信部２３が設けられる本体筐体１０の一端側に厚みがあり、他端側のハンドル部３０は薄く形成され、更に、操作配置面１１は大きな円弧面で形成されている。そして、このハンドル部３０は、設置面に近く形成されるので、取扱性やデザイン性を向上させることができる。更にまた、このハンドル部３０の周辺部には、操作ボタンが配置されていないので、このハンドル部３０を扱う際の誤操作を軽減することができる。
【００４２】
そしてまた、図３（ｂ）に示すように、このハンドル部３０を介して壁面に取り付けられる引っ掛け具に掛けて収納することもできるので、この遠隔操作装置１の収納性を向上することができる。
【００４３】
このように、この実施形態に係る遠隔操作装置は、その内部に、操作基板と電池と通信部を備え、高さ寸法より横幅寸法が大きく、この横幅寸法より奥行き寸法が長い縦長の本体筐体とし、この本体筺体の最も広い面の一面に複数の操作ボタンを配列する操作配置面とした遠隔操作装置であって、前記操作配置面の両側となる前記本体筐体の両側面に、両側に張り出して設けられる一対の移動部材を配置し、前記移動部材は、使用頻度の高い操作ボタンが夫々配置されるとともに、前記本体筐体の両側面に形成されるスライドレールを介して前記操作配置面の長手方向に沿って移動可能としている。
【００４４】
この場合、前記本体筺体は、前記操作配置面を備えた薄い外形状を備えた第１本体部と、この第１本体部の底面に張り出して形成される第２本体部とから構成され、前記操作配置面の両側となる前記第１本体部の両側面には、外側に張り出して形成される一対の移動部材が設けられ、前記移動部材は、前記第１本体部の両側面に形成される前記スライドレールを介して前記操作配置面の長手方向に沿って移動可能に設けられ、前記使用頻度の高い操作ボタンは、一対のアップダウンスイッチからなるチャンネル選局ボタンと、一対のアップダウンスイッチからなる音量ボタンとすることができる。
【００４５】
更に、前記本体筺体は、前記一対のスライドレールを繋ぐ空間が設けられ、前記空間に一対の移動部材を連結する連結部材が前記スライドレールに沿って移動可能に設けられ、前記空間の上部となる前記本体筺体内には操作基板が配置され、前記空間の下部となる前記本体筺体内には電池を配置することができる。加えて、前記操作配置面の中央にはカーソルボタン群とテンキーボタン群が、この操作配置面の長手方向に沿って配置され、前記一対の移動部材は、少なくともカーソルボタン群とテンキーボタン群の両側を移動可能とすることができる。
【００４６】
また、前記本体筺体は、その長手方向の一端側に赤外線送信部が配置され、他端側にハンドル部が形成され、前記ハンドル部は、前記操作配置面と連続する一対のアーム部材と、このアーム部材の端部を結ぶ連結部材とを含んで構成されても良い。この場合、前記ハンドル部に隣接する操作配置面には、その上面を開閉蓋で覆われるスイッチ群が設けられ、前記開閉蓋は、前記一対のアーム部材の内壁面に形成される一対の移動溝を介して、スイッチ群を隠蔽する状態と、ハンドル部側にスライド移動してスイッチ群を開放する状態を取り得る構造を備えるようにすると良い。
【符号の説明】
【００４７】
１…遠隔操作装置、１０…本体筐体、１０ａ…第１筐体、１０ｂ…第２筐体、１１…操作配置面、１２…グリップ部、１３…上カバー、１４…下カバー、１５…段差部、１６…結合溝、２０…操作ボタン基板、２１…電池、２３…赤外線送受信部、２４…スイッチ素子、２５…操作ボタン、３０…ハンドル部、３１…アーム、３２…連結部、３３…レール溝、４０…移動部材、４１…チャンネル選局ボタン、４２…音量ボタン、４３…連携部材移動空間、４４…連結部材、４５…スライド溝、１１０…コンテンツリストボタン群、１２０…カーソルボタン群、１４０…カラーボタン群、１５０…サブ操作ボタン群、１５１…電源ボタン、１６０…テンキーボタン群、１７０…録画再生ボタン群、１８０…隠しボタン群、１８１…開閉蓋、Ｌ…移動距離。
【図１】
2011077745.tif 000003
【図２】
2011077745.tif 000004
【図３】
2011077745.tif 000005